(57)【要約】【課題】本体前方から見たときに、スッキリした意匠の前カバーで上吸気口を目立たなくして、埃が直接本体に入ることを防止する。【解決手段】本体２と、本体２の上部で被加熱物を加熱する加熱手段と、該加熱手段を制御する制御回路１５０と、空気を吸引するための吸気口７と、本体２の前面に垂直に設け吸気口７を略覆う前カバー１８と、吸気口７から空気を吸引して制御回路１５０に前記空気を送風して冷却する送風ファン１２とを備え、吸気口７と前カバー１８との間に、前カバー１８の下方の端部側から本体２の外側と連通する空間層１８ｂを設けた。【選択図】  図４
2013182793.tif 000002
【特許請求の範囲】
【請求項１】
本体と、該本体の上部で被加熱物を加熱する加熱手段と、該加熱手段を制御する制御回路と、空気を吸引するための吸気口と、前記本体の前面に垂直に設け前記吸気口を略覆う前カバーと、前記吸気口から空気を吸引して前記制御回路に前記空気を送風して冷却する送風ファンとを備え、
前記吸気口と前記前カバーとの間に、該前カバーの下方の端部側から前記本体の外側と連通する空間層を設けたことを特徴とする加熱調理器。
【発明の詳細な説明】
【技術分野】
【０００１】
本発明は、前面より吸気して本体に液体や水蒸気、油煙などが吸引されるのを抑制した加熱調理器に関するものである。
【背景技術】
【０００２】
誘導加熱調理器は、高周波電流を誘導加熱コイルに流して発生させた磁力線が、金属製鍋を通過する際、鍋底に生じる渦電流によるジュール熱を利用して加熱調理を行うものである。誘導加熱調理器では、誘導加熱コイルや誘導加熱コイルを制御する制御基板上の電子部品が発熱するため、一般的に、送風機から冷却風を送風して誘導加熱コイルや制御基板を冷却している。
【０００３】
特許文献１に記載されたものは、本体の前面を覆う前面カバーの下部側に、奥側底辺へ傾斜する傾斜面に吸気口を設けている。
【先行技術文献】
【特許文献】
【０００４】
【特許文献１】特開２０１２−７７４６号公報
【発明の概要】
【発明が解決しようとする課題】
【０００５】
上記した加熱調理器においては、本体の前面を覆う前面カバーの下部側に、奥側へ傾斜する傾斜面に吸気口を設けたもので、その吸気口が設けられた前面カバーは、前面は上部側から下部側は垂直の平面で形成され、その垂直面から連続して奥側底面へ傾斜する平面に吸気口を設けている。
【０００６】
そのため、加熱調理器の手前側で水を溢した場合など、前面カバーに水が伝わった場合、水は前面カバーの前面の垂直面を流れた後、吸気口が設けた奥側底面へ傾斜する平面を流れて吸気口に入る可能性がある。
【課題を解決するための手段】
【０００７】
本発明は、上記の課題を解決するためになされたものであり、本体と、該本体の上部で被加熱物を加熱する加熱手段と、該加熱手段を制御する制御回路と、空気を吸引するための吸気口と、前記本体の前面に垂直に設け前記吸気口を略覆う前カバーと、前記吸気口から空気を吸引して前記制御回路に前記空気を送風して冷却する送風ファンとを備え、前記吸気口と前記前カバーとの間に、該前カバーの下方の端部側から前記本体の外側と連通する空間層を設けたものである。
【発明の効果】
【０００８】
本発明によれば、本体の前面で水をこぼした場合でも、本体の前面下方に設けた吸気口から本体に水が入るのを防止できる。
【図面の簡単な説明】
【０００９】
【図１】一実施例に係る加熱調理器をキッチンキャビネットに収納した状態の斜視図である。
【図２】一実施例に係る加熱調理器の前カバーを外した斜視図である。
【図３】図１のＡ−Ａ断面図である。
【図４】図３のＢ部拡大図である。
【図５】一実施例に係る加熱調理器の本体の空間通路の説明図である。
【発明を実施するための形態】
【００１０】
以下、本発明の実施例を図１から図５に従って説明する。  
図１、図２において、加熱調理器の本体２は、キッチンキャビネット１の上面から落とし込んで設置され、設置後はオーブン（ロースター）４をキッチンキャビネット１の前面部から操作できるようになっている。
【００１１】
調理を行う際の被加熱物である調理鍋は、本体２の上面に配置され耐熱ガラス等からなるプレート３上に載置され、プレート３の周囲端面は、プレート枠２０によって保護されて被加熱物を載置する天板を成している。
【００１２】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３の載置部右６ａ、載置部左６ｂの下部に位置し本体２内の上部に配置して、調理鍋を加熱するための加熱手段である加熱コイル１１が設置されている。またプレート３の載置部中央６ｃの下部に位置し本体２内の上部に配置して、調理鍋を加熱するための加熱手段である１.２ｋＷのラジエントヒーター７０が設置されている。このラジエントヒーター７０の代わりに加熱コイル１１を設置して２ｋＷの誘導加熱の出力を得るようにしても良い。
【００１３】
載置部右６ａ、載置部左６ｂは各３ｋＷの誘導加熱の出力である。鉄、ステンレスだけでなく非磁性金属の調理鍋も誘導加熱するものでも良い。
【００１４】
また、プレート３の前面側には、上面操作部９とその奥側に位置する上面表示部１０が設けられている。上面操作部９は、電源の入切りを行う電源スイッチ１９を備えている。そして、上面操作部９は複数のキーを備え加熱コイル１１、ラジエントヒーター７０とオーブン４の火力や加熱時間の設定を行い、上面表示部１０に前記上面操作部９にて設定された情報の表示を行う。
【００１５】
本体２の前面左側には、魚や肉、ピザ等の被加熱物を焼くためのオーブン４が設けられ、開口部はドア４ａで塞がれる。なお、本実施例ではオーブン４を本体２の前面左側に設けたが、前面右側に設ける構成としても良い。また、オーブンは、呼び名としてロースター、グリルと呼ぶこともある。
【００１６】
図１〜図３において、制御回路１５０は、加熱コイル１１に電源を供給するインバータ基板１５や、加熱コイル１１に供給する電源やラジエントヒーター７０やオーブン４の加熱を制御する制御基板１３である。
【００１７】
本体２の内部には、発熱部品である加熱コイル１１や、制御回路１５０の電子部品を冷却するため、後述の吸気口７より吸い込んだ空気を本体２内に送風する冷却手段である送風ファン１２を制御回路１５０より後方に配置して設けている。送風ファン１２は本体２の右後部に配置している。
【００１８】
８は排気口で、送風ファン１２により送風した空気を本体２内から排出する場所である。
【００１９】
排気口８は、プレート３の後方のプレート枠２０の上面、右側の排気口８ａと左側の排気口８ｂが設けられている。発熱部品である加熱コイル１１や制御回路１５０の電子部品を冷却した後の廃熱は、本体２に設けられたプレート３の後方のプレート枠２０の排気口８から上方へ排出する。左側の排気口８ｂからはオーブン４の廃熱も排出される。
【００２０】
１６は放熱フィンで、発熱する電子部品に取り付け、送風ファン１２から送風された風によって効率よく熱交換するためのものである。
【００２１】
１４は基板ケースで、制御基板１３とインバータ基板１５を覆い、送風ファン１２から送風される風を効率よく制御基板１３とインバータ基板１５に送るためのものである。
【００２２】
１３は制御基板で、設定された調理条件（火力や加熱時間）に応じて加熱コイル１１に供給する電源や後述するオーブン４の加熱部（図示無し）を制御するものである。
【００２３】
送風ファン１２は、後述する基板ケース１４の後方側で本体２の後方側に設けた後方空間５０に設けられている。
【００２４】
後方空間５０は、この空間を構成している本体２の背面部２ｂには外気を吸引するために開口した後吸気口７ａと、後述する空間通路９０を経て本体２前側に設けられている後述する前吸気口７ｂと、送風ファン１２の吹出し部１２ｂとが空間で結ばれ、他は略密閉空間を構成している。
【００２５】
そのため、送風ファン１２が動作すると、送風ファン１２の吸込部１２ａから後方空間５０内の空気を吸引して、吹出し部１２ｂから空気を排出して基板ケース１４内の制御基板１３に搭載されている電子部品を冷却する。送風ファン１２が動作して後方空間５０内の空気が基板ケース１４に送風されると、後方空間５０の内部は負圧になり、後方空間５０と連通する後述する吸気口７（後吸気口７ａと前吸気口７ｂ）から外気を吸引する。
【００２６】
吸気口７は、本体２の前面と後方の２方向から空気を吸気するために後吸気口７ａと前吸気口７ｂとから成っている。
【００２７】
後吸気口７ａは、本体２の背面部２ｂに設けられている。その詳細は、背面部２ｂの垂直部２ｂ１と傾斜部２ｂ２に渡ってパンチング穴により細かい通気穴を設けキッチンキャビネット１内部の空気を吸気する。
【００２８】
次に、図３と図５とを用いて空間通路９０について詳細に説明する。  
空間通路９０は、後方空間５０に接続された基板ケース１４の底面１４ａ外側に設けられた通路で、基板ケース１４の底面１４ａと本体２の底面２ａ、そして基板ケース１４の底面１４ａの両端に設けた仕切り板１４ｂとで空間通路９０が構成されている。この空間通路９０は、後述する前吸気口７ｂから吸引した空気を後方空間５０に導くための風路である。そして、空間通路９０の幅方向の略中央には補強板１４ｃが設けている。
【００２９】
また、空間通路９０を構成している本体２の底面２ａには、空間通路９０の断面積を広くして通風抵抗を少なくするために、本体の外側に凸形状をして奥行き方向に伸びた補強ビード２ａ１を設けている。
【００３０】
次に図２、図３、図４を用い前吸気口７ｂについて説明する。  
前吸気口７ｂは、オーブン４に隣接して本体２の前面を塞ぐ前板１７に設けられた下吸気口７ｂ１と上吸気口７ｂ２との二ヶ所の吸気口から構成されている。そして、前板１７に取り付ける前カバー１８は、本体２の前面に垂直に取り付けられ、オーブン４のドア４ａと共に意匠的に配慮されている。
【００３１】
下吸気口７ｂ１は、本体２の前方底面から外気を吸気する吸気口で、本体２の前方側とキッチンキャビネット１との隙間やキッチンキャビネット１の内部から空気を吸気して空間通路９０に導くものである。
【００３２】
その構成は、前板１７に設けられたもので、本体２の前方に設けられた前板１７の底面１７ｎに下吸気口７ｂ１が設けられ、下吸気口７ｂ１から吸気した空気の流れを略９０度曲げて空間通路９０へ導くために、吸気した空気の通る送風路を略９０度曲げる連通口１７ｔが設けられている。
【００３３】
また、上吸気口７ｂ２は、本体２の前面下方から外気を吸気する吸気口で、前板１７の前面１７ｋに設けられた上吸気口７ｂ２より吸引した後、前板１７に設けられた連通口１７ｔへと導かれ、下吸気口７ｂ１から吸引した空気と共に空間通路９０へと流れる。
【００３４】
以上のように空間通路９０へと連通する前吸気口７ｂは、下吸気口７ｂ１と上吸気口７ｂ２との二ヶ所に設けられ、その空気を吸引する総開口面積は空間通路９０の断面積より大きくなるように設けている。そうすることで、調理者が着用するエプロンやホコリなどにより空気の吸引に障害が発生しても、冷却に必要な十分な空気量を確保できるようにしている。
【００３５】
また、下吸気口７ｂ１と上吸気口７ｂ２には、縦に桟を備えて空間通路９０に大きなゴミや割り箸などの異物が入るのを防止している。
【００３６】
さらに、前板１７の前面側に設けられた前カバー１８によって、前板１７に設けられた上吸気口７ｂ２の開口部は略覆い隠され、本体の前面に立った状態から見下ろす視線では、その上吸気口７ｂ２は確認できない構造になっている。
【００３７】
また、前カバー１８の下側の端部１８ｈを上吸気口７ｂ２が略隠れる位置に設け、前カバー１８より奥側に設けた上吸気口７ｂ２との間には空間層１８ｂを設け、空間層１８ｂは前カバー１８の下方の端部側から本体２の外部と連通している。そのため、上吸気口７ｂ２は空間層１８ｂの空気を吸引することで外気を取り入れている。
【００３８】
空間通路９０が設けられた位置は、本体２の中で１番温度上昇の少ない箇所であり、本体２前から吸引した冷却用の空気の温度を無駄に加温されること無く後方空間５０まで導くことが可能である。
【００３９】
また、冷却風を基板ケース１４の底面１４ａに沿って流すことで、基板ケース１４内の温度上昇を和らげる働きもある。
【００４０】
本実施例は、以上の構成からなり、次にその動作について説明する。  
プレート３に調理鍋を載置して誘導加熱する場合は、電源スイッチ１９で電源を入れ、上面表示部１０で表示を確認しながら上面操作部９で操作して、温度や火力を設定して加熱の開始を操作する。
【００４１】
加熱を始めると、制御回路１５０で加熱コイル１１が制御されて、調理鍋を加熱する。また、送風ファン１２が回転して後吸気口７ａと前吸気口７ｂから冷却用の空気を吸気する。
【００４２】
前吸気口７ｂの上吸気口７ｂ２と下吸気口７ｂ１より吸気した空気は、基板ケース１４の下に設けられた空間通路９０を通過する時に、元々温度上昇の低い基板ケース１４の底面１４ａを冷却し、基板ケース１４に収納されている制御回路１５０の電子部品の温度上昇を緩和する。
【００４３】
また、後吸気口７ａから吸引するキッチンキャビネット１内の空気は、長時間加熱調理器を使用することで多少温度上昇してしまう。しかし、送風ファン１２の吸込部１２ａ近傍で前吸気口７ｂより吸気した温度上昇の少ない空気と混合することで温度が低下し、キッチンキャビネット１内に留まっていたときの空気の温度より低い空気が送風ファン１２によって基板ケース１４内に送風されて電子部品を冷却し、その後加熱コイル１１などを冷却した後に排気口８から排気される。
【００４４】
この様に、冷却風の吸気口の位置をキッチンキャビネット１内と、空間通路９０を設けて本体２の前方に設けたことで、使用者に聞こえる送風ファン１２を駆動する動力系の音も低減される。
【００４５】
また、本体２の前面側で液状の水などをこぼした場合、そのこぼれた水は前カバー１８を垂れて前カバー１８の端部１８ｈに達すると、前カバー１８の端部１８ｈから連なる構造物が無いので、水は端部１８ｈから本体２の下のキッチンキャビネット１に垂れる。
【００４６】
以上本実施例によれば、本体２の前面側で水をこぼした場合でも、本体２の前面下方に設けた前吸気口７ｂから本体に水が入るのを防止できる。
【符号の説明】
【００４７】
１  キッチンキャビネット
２  本体
２ａ、１４ａ  底面
２ｂ  背面部
３  プレート
７  吸気口
７ａ  後吸気口
７ｂ  前吸気口
７ｂ１  下吸気口
７ｂ２  上吸気口
８  排気口
１１  加熱コイル
１２  送風ファン
１２ａ  吸込部
１２ｂ  吹出し部
１４  基板ケース
１４ｂ  仕切り板
１７  前板
１８  前カバー
１８ｂ  空間層
２０  プレート枠
５０  後方空間
９０  空間通路
１５０  制御回路
【図１】
2013182793.tif 000003
【図２】
2013182793.tif 000004
【図３】
2013182793.tif 000005
【図４】
2013182793.tif 000006
【図５】
2013182793.tif 000007